(57)【特許請求の範囲】
【請求項１】
個人の生体情報を収集し、収集日時情報と共に送信する生体情報送信手段と、
前記個人の居場所情報、そのときの対応相手情報、そのときの行動内容情報を少なくとも含む環境情報を、そのときの日時情報と共に収集及び／又は入力して送信する個人環境情報送信手段と、
前記生体情報送信手段により送信された生体情報について所定閾値を超過する変動が発生した時点を検出する生体情報変動時点検出手段と、
前記生体情報変動時点検出手段により検出された時点の環境情報を、前記個人環境情報送信手段により送信された環境情報に基づき検出する変動時環境情報検出手段と、
前記生体情報変動時点検出手段により検出された時点と、この時点に対応して変動時環境情報検出手段が検出した環境情報との、セット情報を作成し蓄積するセット情報作成蓄積手段と、
所定期間に蓄積されたセット情報について、環境情報が居場所情報である場合に多く出現する居場所情報のランキングを求める統計処理を行って、環境情報が対応相手情報である場合に多く出現する対応相手情報の統計処理を行って、環境情報が行動内容情報である場合に多く出現する行動内容情報のランキングを求める統計処理を行って、生体情報の変動と環境情報との関連を特定する統計処理手段と
を具備することを特徴とする環境分析システム。
【請求項２】
個人の複数の居場所について、少なくとも、温度、湿度、照度を含む居場所環境情報を収集し、それぞれの居場所識別情報と共に送信する居場所環境情報送信手段を備え、
変動時環境情報検出手段は、前記生体情報変動時点検出手段により検出された時点の居場所環境情報を、前記居場所環境情報送信手段により送信された環境情報に基づき検出することを特徴とする請求項１に記載の環境分析システム。
【請求項３】
生体情報には、血圧、脈拍数、発汗量を少なくとも含むことを特徴とする請求項１または２に記載の環境分析システム。
【請求項４】
対応相手情報には、人数、それぞれの氏名、階級または役職、性別が含まれることを特徴とする請求項１乃至３のいずれか１項に記載の環境分析システム。
【請求項５】
変動時環境情報検出手段は、前記生体情報変動時点検出手段により検出された時点の居場所と行動内容を検出し、前記生体情報送信手段により送信された生体情報に基づき、当該時点の日における前記居場所において前記行動内容を行った際の生体情報の経時変化を検出して、生体情報変動グラフを作成することを特徴とする請求項１乃至４のいずれか１項に記載の環境分析システム。
【請求項６】
前記セット情報作成蓄積手段により所定期間に蓄積されたセット情報に基づき、前記生体情報変動時点検出手段により検出された時点の一日における時刻を求め、一日における生体情報変動傾向を検出する生体情報変動傾向検出手段を
具備することを特徴とする請求項１乃至５のいずれか１項に記載の環境分析システム。
【請求項７】
前記生体情報送信手段及び／又は個人環境情報送信手段が、１または２以上のウェアラブルデバイスとして構成されていることを特徴とする請求項１乃至６のいずれか１項に記載の環境分析システム。
【請求項８】
前記ウェアラブルデバイスは、腕時計タイプ、ネームプレートタイプ、メガネタイプ、帽子タイプ、着衣タイプの少なくとも１つにより構成されることを特徴とする請求項７に記載の環境分析システム。
【請求項９】
個人の生体情報を収集し、収集日時情報と共に送信する生体情報送信手段と、
前記個人の居場所情報、そのときの対応相手情報、そのときの行動内容情報を少なくとも含む、そのときの日時情報と共に収集及び／又は入力して送信する個人環境情報送信手段と、
前記生体情報送信手段により送信された生体情報と前記個人環境情報送信手段により送信された環境情報を受け取り、処理するコンピュータと
により構成される環境分析システムに用いられるプログラムであって、
前記コンピュータを、
前記生体情報送信手段により送信された生体情報について所定閾値を超過する変動が発生した時点を検出する生体情報変動時点検出手段、
前記生体情報変動時点検出手段により検出された時点の環境情報を、前記個人環境情報送信手段により送信された環境情報に基づき検出する変動時環境情報検出手段、
前記生体情報変動時点検出手段により検出された時点と、この時点に対応して変動時環境情報検出手段が検出した環境情報との、セット情報を作成し蓄積するセット情報作成蓄積手段、
所定期間に蓄積されたセット情報について、環境情報が居場所情報である場合に多く出現する居場所情報のランキングを求める統計処理を行って、環境情報が対応相手情報である場合に多く出現する対応相手情報の統計処理を行って、環境情報が行動内容情報である場合に多く出現する行動内容情報のランキングを求める統計処理を行って、生体情報の変動と環境情報との関連を特定する統計処理手段
として機能させることを特徴とする環境分析用プログラム。
【請求項１０】
前記コンピュータを、
個人の複数の居場所について、少なくとも、温度、湿度、照度を含む居場所環境情報を収集し、それぞれの居場所識別情報と共に送信する居場所環境情報送信手段として機能させ、
変動時環境情報検出手段として、前記生体情報変動時点検出手段により検出された時点の居場所環境情報を、前記居場所環境情報送信手段により送信された環境情報に基づき検出するように、機能させる
ことを特徴とする請求項９に記載の環境分析用プログラム。
【請求項１１】
生体情報には、血圧、脈拍数、発汗量を少なくとも含むことを特徴とする請求項９または１０に記載の環境分析用プログラム。
【請求項１２】
対応相手情報には、人数、それぞれの氏名、階級または役職、性別が含まれることを特徴とする請求項９乃至１１のいずれか１項に記載の環境分析用プログラム。
【請求項１３】
前記コンピュータを、
変動時環境情報検出手段として、前記生体情報変動時点検出手段により検出された時点の居場所と行動内容を検出し、前記生体情報送信手段により送信された生体情報に基づき、当該時点の日における前記居場所において前記行動内容を行った際の生体情報の経時変化を検出して、生体情報変動グラフを作成するように機能させることを特徴とする請求項９乃至１２のいずれか１項に記載の環境分析用プログラム。
【請求項１４】
前記コンピュータを、
前記セット情報作成蓄積手段により所定期間に蓄積されたセット情報に基づき、前記生体情報変動時点検出手段により検出された時点の一日における時刻を求め、一日における生体情報変動傾向を検出する生体情報変動傾向検出手段として機能させることを特徴とする請求項９乃至１３のいずれか１項に記載の環境分析用プログラム。
【発明の詳細な説明】
【技術分野】
【０００１】
この発明は、特に労働環境や職場環境などの環境についての問題を分析することが可能な、環境分析システム及び環境分析用プログラムに関するものである。
【背景技術】
【０００２】
職場において勤務中に生じるヒヤリとしたりハッとしたりの瞬間は、誰でも経験することである。また、職場の温度や湿度、匂いなどの純粋な環境に対するストレスや対人ストレスという環境ストレスも多くの人が体験する。しかしながら、これらの環境ストレスに関しては、報告することもなく、報告に対する体系的な対策も採られ難いのが現状である。
【０００３】
しかしながら、我が国では女性の活躍も含めた一億総活躍時代が叫ばれており、この実現のためには、生活環境、特に労働環境や職場環境などの環境の改善が不可欠と考えられる。このような趣旨に近似した目的からなされた従来例として引用文献１〜３に記載されたものを挙げることができる。
【０００４】
特許文献１には、ユーザの動作に関する情報を収集し、ユーザの動作状況を判断し、環境の情報を収集し、これらの情報を用いてユーザに健康につながる行動を起こさせるようなメッセージを生成し提示する生活管理端末装置が開示されている。
【０００５】
特許文献２には、候補者募集又は選任範囲を縮小でき、昇進又は募集のプロセスを軽減し、資源節減につなげる他に、企業は、応募者の個性と企業文化との相性を検証し、適任の人員が確実に選択できるようにするシステムが開示されている。
【０００６】
この引用文献２のものでは、インターフェースユニットは、複数利用者が入力する複数件のデータを受信する。特性分析ユニットは、該インターフェースユニットに接続し、かつ当該複数件のデータに基づいて、当該複数利用者の複数の特性指数をそれぞれ分析する。相性分析ユニットは、該特性分析ユニットに接続し、かつ当該複数の特性指数に従い、当該複数利用者同士の相性を分析した上、それぞれ対応の複数の相性指数を生成することにより、相性指数マトリクスを算出する。報告生成ユニットは、該特性分析ユニットと該相性分析ユニットのそれぞれの分析結果を受信し、当該複数利用者のある職場環境における定位関係を分析した上、分析報告を生成する、という特徴を有する。
【０００７】
引用文献３には、従業員の健康を監視するためのシステム、コンピュータ媒体、およびコンピュータにより実行される方法が開示されている。
【０００８】
この引用文献３の発明は、従業員の健康を職場環境にいる間に監視するためのシステムであって、通信ネットワークと、前記通信ネットワークに接続された健康データベースであって、１人以上の従業員の健康情報を記憶する、データベースと、前記従業員から健康データを収集するように構成された１組の１つ以上の健康センサを含む。更に、この引用文献３の発明は、従業員が業務に従事している間に従業員の上または近辺に提供された１組の１つ以上の健康センサから健康データを収集することを含むものである。
【０００９】
引用文献３の発明において、１つ以上の健康センサは、センサによって感知された特性に対応する健康データを出力するように構成され、１つ以上の健康センサは、従業員のバイオメトリックおよびバイオメカニック特性を感知するように構成された少なくとも１つ以上のバイオメトリックおよびバイオメカニックセンサを備え、１つ以上の健康センサのうちの少なくとも１つは、モバイル通信デバイス内に一体化される。収集された健康データは、従業員の健康プロファイルを決定するために使用される。本方法は、モバイル通信デバイスを介して、従業員の健康プロファイルを含む健康レポートを表示することを含むものである。
【先行技術文献】
【特許文献】
【００１０】
【特許文献１】特開２００３−１７３３７５号公報
【特許文献２】特開２０１０−１９８５８９号公報
【特許文献３】特開２０１４−５２４８００号公報
【発明の概要】
【発明が解決しようとする課題】
【００１１】
しかしながら、いずれの引用文献に記載の発明においても、個人の居場所情報、そのときの対応相手情報、そのときの行動内容情報など、生活環境或いは労働環境を考慮した管理や分析を行うものではなく、上記のような内容の生活環境、特に労働環境や職場環境などの環境の改善につながるシステムや方法ではない。
【００１２】
本発明は、上記のような従来の環境改善に関するシステムにおける現状に鑑みてなされたもので、その目的は、個人の居場所情報、そのときの対応相手情報、そのときの行動内容情報など、生活環境を考慮した分析を行う環境分析システム及び環境分析用プログラムを提供することである。
【課題を解決するための手段】
【００１３】
本発明に係る環境分析システムは、個人の生体情報を収集し、収集日時情報と共に送信する生体情報送信手段と、前記個人の居場所情報、そのときの対応相手情報、そのときの行動内容情報を少なくとも含む環境情報を、そのときの日時情報と共に収集及び／又は入力して送信する個人環境情報送信手段と、前記生体情報送信手段により送信された生体情報について所定閾値を超過する変動が発生した時点を検出する生体情報変動時点検出手段と、前記生体情報変動時点検出手段により検出された時点の環境情報を、前記個人環境情報送信手段により送信された環境情報に基づき検出する変動時環境情報検出手段と前記生体情報変動時点検出手段により検出された時点と、この時点に対応して変動時環境情報検出手段が検出した環境情報との、セット情報を作成し蓄積するセット情報作成蓄積手段と、所定期間に蓄積されたセット情報について、環境情報が居場所情報である場合に多く出現する居場所情報のランキングを求める統計処理を行って、環境情報が対応相手情報である場合に多く出現する対応相手情報の統計処理を行って、環境情報が行動内容情報である場合に多く出現する行動内容情報のランキングを求める統計処理を行って、生体情報の変動と環境情報との関連を特定する統計処理手段とを具備することを特徴とする。
【００１４】
本発明に係る環境分析システムでは、個人の複数の居場所について、少なくとも、温度、湿度、照度を含む居場所環境情報を収集し、それぞれの居場所識別情報と共に送信する居場所環境情報送信手段を備え、変動時環境情報検出手段は、前記生体情報変動時点検出手段により検出された時点の居場所環境情報を、前記居場所環境情報送信手段により送信された環境情報に基づき検出することを特徴とする。
【００１５】
本発明に係る環境分析システムでは、生体情報には、血圧、脈拍数、発汗量を少なくとも含むことを特徴とする。
【００１６】
本発明に係る環境分析システムでは、対応相手情報には、人数、それぞれの氏名、階級または役職、性別が含まれることを特徴とする。
【００１７】
本発明に係る環境分析システムでは、変動時環境情報検出手段は、前記生体情報変動時点検出手段により検出された時点の居場所と行動内容を検出し、前記生体情報送信手段により送信された生体情報に基づき、当該時点の日における前記居場所において前記行動内容を行った際の生体情報の経時変化を検出して、生体情報変動グラフを作成することを特徴とする。
【００１９】
本発明に係る環境分析システムでは、前記セット情報作成蓄積手段により所定期間に蓄積されたセット情報に基づき、前記生体情報変動時点検出手段により検出された時点の一日における時刻を求め、一日における生体情報変動傾向を検出する生体情報変動傾向検出手段を具備することを特徴とする。
【００２０】
本発明に係る環境分析システムでは、前記生体情報送信手段及び／又は個人環境情報送信手段が、１または２以上のウェアラブルデバイスとして構成されていることを特徴とする。
【００２１】
本発明に係る環境分析システムでは、前記ウェアラブルデバイスは、腕時計タイプ、ネームプレートタイプ、メガネタイプ、帽子タイプ、着衣タイプの少なくとも１つにより構成されることを特徴とする。
【００２２】
本発明に係る環境分析用プログラムは、個人の生体情報を収集し、収集日時情報と共に送信する生体情報送信手段と、前記個人の居場所情報、そのときの対応相手情報、そのときの行動内容情報を少なくとも含む、そのときの日時情報と共に収集及び／又は入力して送信する個人環境情報送信手段と、前記生体情報送信手段により送信された生体情報と前記個人環境情報送信手段により送信された環境情報を受け取り、処理するコンピュータとにより構成される環境分析システムに用いられるプログラムであって、前記コンピュータを、前記生体情報送信手段により送信された生体情報について所定閾値を超過する変動が発生した時点を検出する生体情報変動時点検出手段、前記生体情報変動時点検出手段により検出された時点の環境情報を、前記個人環境情報送信手段により送信された環境情報に基づき検出する変動時環境情報検出手段、前記生体情報変動時点検出手段により検出された時点と、この時点に対応して変動時環境情報検出手段が検出した環境情報との、セット情報を作成し蓄積するセット情報作成蓄積手段、所定期間に蓄積されたセット情報について、環境情報が居場所情報である場合に多く出現する居場所情報のランキングを求める統計処理を行って、環境情報が対応相手情報である場合に多く出現する対応相手情報の統計処理を行って、環境情報が行動内容情報である場合に多く出現する行動内容情報のランキングを求める統計処理を行って、生体情報の変動と環境情報との関連を特定する統計処理手段として機能させることを特徴とする。
【００２３】
本発明に係る環境分析用プログラムでは、前記コンピュータを、個人の複数の居場所について、少なくとも、温度、湿度、照度を含む居場所環境情報を収集し、それぞれの居場所識別情報と共に送信する居場所環境情報送信手段として機能させ、変動時環境情報検出手段として、前記生体情報変動時点検出手段により検出された時点の居場所環境情報を、前記居場所環境情報送信手段により送信された環境情報に基づき検出するように、機能させることを特徴とする。
【００２４】
本発明に係る環境分析用プログラムでは、生体情報には、血圧、脈拍数、発汗量を少なくとも含むことを特徴とする。
【００２５】
本発明に係る環境分析用プログラムでは、対応相手情報には、人数、それぞれの氏名、階級または役職、性別が含まれることを特徴とする。
【００２６】
本発明に係る環境分析用プログラムでは、前記コンピュータを、変動時環境情報検出手段として、前記生体情報変動時点検出手段により検出された時点の居場所と行動内容を検出し、前記生体情報送信手段により送信された生体情報に基づき、当該時点の日における前記居場所において前記行動内容を行った際の生体情報の経時変化を検出して、生体情報変動グラフを作成するように機能させることを特徴とする。
【００２８】
本発明に係る環境分析用プログラムでは、前記コンピュータを、前記セット情報作成蓄積手段により所定期間に蓄積されたセット情報に基づき、前記生体情報変動時点検出手段により検出された時点の一日における時刻を求め、一日における生体情報変動傾向を検出する生体情報変動傾向検出手段として機能させることを特徴とする。
【発明の効果】
【００２９】
本発明によれば、個人の生体情報を収集し、収集日時情報と共に送信する生体情報送信手段と、前記個人の居場所情報、そのときの対応相手情報、そのときの行動内容情報を少なくとも含む環境情報を、そのときの日時情報と共に収集及び／又は入力して送信する個人環境情報送信手段と、前記生体情報送信手段により送信された生体情報について所定閾値を超過する変動が発生した時点を検出する生体情報変動時点検出手段と、前記生体情報変動時点検出手段により検出された時点の環境情報を、前記個人環境情報送信手段により送信された環境情報に基づき検出する変動時環境情報検出手段とを具備するので、個人の居場所情報、そのときの対応相手情報、そのときの行動内容情報など、生活環境を考慮した分析を行うことができる。
【００３０】
本発明によれば、個人の複数の居場所について、少なくとも、温度、湿度、照度を含む居場所環境情報を収集し、それぞれの居場所識別情報と共に送信する居場所環境情報送信手段を備え、変動時環境情報検出手段は、前記生体情報変動時点検出手段により検出された時点の居場所環境情報を、前記居場所環境情報送信手段により送信された環境情報に基づき検出するので、個人の居場所情報、そのときの対応相手情報、そのときの行動内容情報など、生活環境だけでなく、居場所環境情報を含めた環境を考慮した分析を行うことができる。
【図面の簡単な説明】
【００３１】
【図１】本発明に係る環境分析システムの実施形態の構成図。
【図２】本発明に係る環境分析システムの実施形態に用いられる生体情報送信デバイスの機能ブロック図。
【図３】本発明に係る環境分析システムの実施形態に用いられる居場所環境情報送信装置の機能ブロック図。
【図４】本発明に係る環境分析システムの実施形態に用いられる携帯情報端末の構成図。
【図５ａ】本発明に係る環境分析システムの実施形態に用いられる携帯情報端末の、個人の居場所を入力する画面の一例を示す図。
【図５ｂ】本発明に係る環境分析システムの実施形態に用いられる携帯情報端末の、相手情報を入力する画面の一例を示す図。
【図５ｃ】本発明に係る環境分析システムの実施形態に用いられる携帯情報端末の、行動内容情報を入力する画面の一例を示す図。
【図５ｄ】本発明に係る環境分析システムの実施形態に用いられる携帯情報端末の、行動内容情報を入力する画面の一例を示す図。
【図６】本発明に係る環境分析システムの実施形態に用いられるコンピュータ端末の構成図。
【図７】本発明に係る環境分析システムの実施形態に用いられるサーバの構成図。
【図８】本発明に係る環境分析システムの第１の実施形態に用いられるサーバの機能ブロック図。
【図９】本発明に係る環境分析システムの第１の実施形態において収集された生体情報の一例を示す図。
【図１０】本発明に係る環境分析システムの第１の実施形態において入力された個人環境情報の一例を示す図。
【図１１】本発明に係る環境分析システムの第１の実施形態において収集された居場所環境情報の一例を示す図。
【図１２】本発明に係る環境分析システムの第１の実施形態において所定期間に収集された個人識別情報毎の変動時環境情報の一例を示す図。
【図１３】本発明に係る環境分析システムの第２の実施形態に用いられるサーバの機能ブロック図。
【図１４】本発明に係る環境分析システムの第２の実施形態に用いられるサーバによる処理内容を示すブロック図。
【図１５】本発明に係る環境分析システムの第３の実施形態に用いられるサーバによって作成されるグラフを示す図。
【発明を実施するための形態】
【００３２】
以下添付図面を参照して、本発明に係る環境分析システム及び環境分析用プログラムの実施形態を説明する。各図において同一の構成要素には同一の符号を付して重複する説明を省略する。図１には、本発明に係る環境分析システムの実施形態の構成図が示されている。環境分析システムは、システムの中心となるサーバ１０と、携帯情報端末３０と、居場所環境情報送信装置４０と、生体情報送信デバイス５０と、コンピュータ端末６０を備えるものである。携帯情報端末３０、居場所環境情報送信装置４０、コンピュータ端末６０は、例えばネットワーク７０を介してサーバ１０に接続される。
【００３３】
生体情報送信デバイス５０は、個人毎に設けられているもので、例えば腕時計タイプのウェアラブルデバイスにより構成することができる。生体情報送信デバイス５０は、腕時計タイプ、ネームプレートタイプ、メガネタイプ、帽子タイプ、着衣タイプの少なくとも１つにより構成することができる。生体情報送信デバイス５０は、携帯情報端末３０に統合されていても良い。
【００３４】
生体情報送信デバイス５０は、図２に示されるように、個人の識別情報が記憶された個人識別情報記憶部５１と、上記個人の生体情報を収集する生体情報収集部５２と、収集された生体情報を送信する送信部５３とを含んでいる。生体情報収集部５２は、体温、脈拍数、血圧、脳波、心電図、血液酸素飽和度（ＳｐＯ2）、移動量（運動量）、意識などの生体情報を収集するデバイスであり、所定の時間間隔により生体情報を測定収集して記憶しておき、所定時間毎に上記で記憶した生体情報を送信部５３から送信するように構成されている。なお、脳波については、代表的な波の周波数や振幅など、心電図については、ＱＲＳ波などの特徴的な値であっても良い。
【００３５】
居場所環境情報送信装置４０は、個人の複数の居場所である例えば職場の部屋毎(室Ａ〜Ｄ)に設けられる居場所環境情報送信手段４１（図３）を構成する。少なくとも、温度、湿度、照度を含む居場所環境情報を収集するセンサなどにより構成される情報収集部４２を備えると共に、収集した居場所環境情報をそれぞれの居場所識別情報と共に送信する送信部４３を備える。
【００３６】
居場所環境情報送信装置４０は、生体情報送信デバイス５０から送信された情報を受信する受信部４４を備え、受信部４４により受信した情報を送信部４３から送信する。つまり、居場所環境情報送信装置４０は、生体情報送信デバイス５０に対する中継装置の機能を有している。
【００３７】
携帯情報端末３０は、スマートフォンや携帯電話機、或いはパーソナルディジタルアシスタントなどにより構成することができ、各個人がそれぞれに携帯保持するもので、例えば、図４に示すように構成される。即ち、制御部（ＣＰＵ）３１がプログラムを実行して各部を制御する構成が採用されている。制御部３１には、無線部３２、変復調部３３、エンコード／デコード部３４、マイクロフォン３５Ａとスピーカ３５Ｂが接続された音声通話部３５、メモリ３６、カメラ部３７、入力部３８、表示部３９が接続されている。
【００３８】
無線部３２は基地局などを介して公衆網と接続する機能とBluetooth（登録商標） などの無線通信を行う機能とを有するものとし、電波などの送受を行うものである。変復調部３３は信号の変調と復調を行い、エンコード／デコード部３４は、復調された後の信号のタイムスロットからのディジタルデータを取り出すエンコードと、ディジタルデータを信号のタイムスロットへ挿入するデコードを実行するものである。また、上記エンコード／デコード部３４は、エンコードしたデータが音声データである場合には音声通話部３５へ送り、エンコードしたデータが非音声データである場合には制御部３１へ送る。
【００３９】
音声通話部３５は、上記エンコード／デコード部３４から送出された音声データを音声信号へ変換して、スピーカ３５Ｂへ送るので、音声が出力される。また、マイクロフォン３５Ａから音声が入力されると、音声通話部３５はこれをディジタル化してエンコード／デコード部３４へ送出する。
【００４０】
カメラ部３７は、制御部３１の制御に基づいて被写体を撮像し画像信号を得てディジタル化し、被写体の画像データを制御部３１へ送る。制御部３１は、この画像データを表示部３９へ送り画像信号化させて被写体の画像を出力する。また、被写体の画像データを送信する場合には、画像データをエンコード／デコード部３４へ送る。入力部３８は表示部３９の画面上に設けられたタッチパネルなどにより構成することができ、コマンドやデータを制御部３１へ送出するものである。
【００４１】
上記のように構成された携帯情報端末３０は、個人の居場所情報、そのときの対応相手情報、そのときの行動内容情報を少なくとも含む環境情報を、そのときの日時情報と共に収集及び／又は入力して送信する個人環境情報送信手段として機能する。携帯情報端末３０のメモリ３６には、個人の居場所情報、そのときの対応相手情報、そのときの行動内容情報を少なくとも含む環境情報を、そのときの日時情報と共に入力して送信するためのプログラムが備えられている。このプログラムを起動すると、最初に、個人の居場所情報を入力するための場所候補が、図５（ａ）に示されるように、室Ａの自分の席、室Ａ、室Ｂ、室Ｃ、・・・、その他（自分で入力）と表示部３９の画面に表示される。上記表示された場所候補のいずれかを選択すると、個人の居場所情報が入力され、送信される。「その他（自分で入力）」を選択した場合には、文字入力画面が表示され、自分で入力することになる。
【００４２】
上記では、携帯情報端末３０を用いて個人の居場所情報を入力するようにしたが、これと共に、或いはこれに代えて、例えば、ＧＰＳを携帯情報端末３０が備え、位置情報と地図情報とを組み合わせて○町○丁目○番地や、国道○号線の○交差点などの位置情報を個人の居場所情報として収集するようにしても良い。個人の居場所情報として収集した情報も当然送信される。個人の居場所情報上記の例以外に、バスの運転席やタクシーの運転席などのように移動する場所も含まれる。
【００４３】
個人の居場所情報の収集及び／又は入力が終わると、図５（ｂ）に示すように、そのときの対応相手情報として、人数と、氏名、性別、階級または役職の入力画面が現れるので、文字により入力することができる。また、そのときの対応相手情報を候補情報として表示するようにしても良い。例えば、人数は１人から１人刻みで増加させ、例えば１０人以上は、１０〜１５人のように５人刻みで増加させた数字を表示することができる。会社などであれば、所属する全ての人間の氏名、性別、階級は確定しているので、これらを候補として頭文字により或る程度絞って表示し、該当の者を選択するようにしても良い。選択を行う場合でも、社外の人の氏名、性別、階級または役職は、文字入力することができるようにする。
【００４４】
そのときの対応相手情報の収集及び／又は入力が終わると、そのときの行動内容情報を図５（ｃ）に示すように、入力する画面が現れるので、文字により入力することができる。この場合でも、仕事内容が或る程度決まっている場合には、図５（ｄ）に示すように、○書類作成や、ＸＸ資料作成、ＡＡ会議、ＢＢ会議などを表示し、該当の仕事内容を選択するようにしても良い。これら環境情報は、そのときの日時情報及び個人識別情報と共に送信される。
【００４５】
コンピュータ端末６０は、図６に示されるように構成される。コンピュータ端末６０はＣＰＵ６１を中心としてプログラムを実行し、各部を制御するものである。ＣＰＵ６１には、主メモリ６２、外部記憶装置６３、インタフェース６４、入力制御部６５、表示制御部６６が接続されている。主メモリ６２には、外部記憶装置６３から読み出されたプログラムやデータが記憶され、また、処理により生じたデータなども記憶される。外部記憶装置６３には、各種のプログラムやデータが記憶され、ＣＰＵ６１はこれら記憶されているものから所望のプログラムやデータを主メモリ６２へ読み出して処理を行う。
【００４６】
インタフェース６４は、ネットワーク７０に接続されている。入力制御部６５には、キーボードやマウスなどの入力部６７が接続されており、入力部６７からはコマンドやデータなどを入力することができる。表示制御部６６には、ＬＥＤなどにより構成される表示部６８が接続されており、表示部６８には各種の画像が表示される。
【００４７】
コンピュータ端末６０は、例えば産業医や労務管理者などのように、個人の情報を見て利用することが許された人が使用するようにすることができ、コンピュータ端末６０によって、個人の居場所情報、そのときの対応相手情報、そのときの行動内容情報を少なくとも含む環境情報を、そのときの日時情報と共に収集及び／又は入力して送信されたが、不足の情報があり、聞き取りにより補充したい場合などに用いることができる。この場合には、図５（ａ）〜図５（ｄ）を用いて説明したようにして入力することができる。勿論、全ての個人について、聞き取りを行い、一日毎の個人の居場所情報、そのときどきの対応相手情報、そのときどきの行動内容情報を少なくとも含む環境情報を、そのときどきの日時情報と共に個人識別情報を付加して入力しサーバ１０へ送信するようにしても良い。このように構成する場合には、コンピュータ端末６０を複数設け、携帯情報端末３０を不要としても良い。または、コンピュータ端末６０に代えて携帯情報端末３０を用いて産業医や労務管理者などが情報の入力を行っても良い。
【００４８】
サーバ１０は、図７に示されるように構成される。サーバ１０は、ＣＰＵ１１を中心としてプログラムを実行し、各部を制御するものである。ＣＰＵ１１には、主メモリ１２、外部記憶装置１３、インタフェース１４が接続されている。主メモリ１２には、外部記憶装置１３から読み出されたプログラムやデータが記憶され、また、処理により生じたデータなども記憶される。外部記憶装置１３には、各種のプログラムやデータが記憶され、ＣＰＵ１１はこれら記憶されているものから所望のプログラムやデータを主メモリ１２へ読み出して処理を行う。インタフェース１４は、ネットワーク７０に接続されている。
【００４９】
外部記憶装置１３には、本実施形態に係る環境分析システムにおいて用いられる環境分析用プログラムが記憶されており、これにより、図８に示すように、生体情報変動時点検出手段８１、変動時環境情報検出手段８２が実現される。また、外部記憶装置１３には、図８に示すように、生体情報蓄積部８３と環境情報蓄積部８４が設けられている。
【００５０】
生体情報変動時点検出手段８１は、生体情報送信手段である生体情報送信デバイス５０により送信された生体情報を個人識別情報毎に生体情報蓄積部８３に蓄積しておく。図９には、生体情報蓄積部８３に蓄積された、個人識別情報がＹであるＹさんの一人分のある一日（６月６日）分の生体情報の一例を示す。ここでは、生体情報、血圧、脈拍数、発汗量のみを示している。生体情報変動時点検出手段８１は、生体情報送信手段である生体情報送信デバイス５０により送信された生体情報について所定閾値を超過する変動が発生した時点を検出するものである。図９の例では、数値から判るように、８時１０分と８時１５分が、生体情報について所定閾値を超過する変動が発生した時点として検出する。
【００５１】
一方、生体情報蓄積部８３には、個人環境情報送信手段である携帯情報端末３０から送信され蓄積された個人環境情報が図１０に示すように記憶されている。この情報も図９と同じように、個人識別情報がＹであるＹさんの一人分のある一日（６月６日）分の個人環境情報の一例を示す。
【００５２】
変動時環境情報検出手段８２は、上記生体情報変動時点検出手段８１により検出された時点の環境情報を、上記個人環境情報送信手段である携帯情報端末３０により送信された環境情報に基づき検出するものである。図９を用いて説明したように、生体情報変動時点検出手段８１により検出された時点は、８時１０分と８時１５分であるから、この時点の個人環境情報を図１０の情報から求めると、室Ａにおいて、グループ長の○川○男氏から点呼を受けていたと判明する。この情報が、外部記憶装置１３の変動時環境情報蓄積部８６に個人識別情報毎に蓄積される。即ち、図８に示すセット情報作成蓄積手段８５は、上記生体情報変動時点検出手段８１により検出された時点と、この時点に対応して変動時環境情報検出手段８２が検出した環境情報との、セット情報を作成し、変動時環境情報蓄積部８６に蓄積する。
【００５３】
上記のように蓄積された変動時環境情報を、コンピュータ端末６０から例えば産業医や労務管理者などが所要の個人識別情報とセキュリティー情報であるアクセス許可キーを用いて読み出し、見ることができる。これにより、個人識別情報がＹであるＹさんは、６月６日の点呼の時に、点呼によって何か不安な状態となった、などと推察できる。
【００５４】
また、環境情報蓄積部８４には、居場所環境情報送信手段である居場所環境情報送信装置４０によって送信された居場所環境情報が図１１に示されるように蓄積されている。この図１１の情報も６月６日の情報である。そこで、変動時環境情報検出手段８２は、生体情報変動時点検出手段８１により検出された時点の８時１０分と８時１５分に対応する居場所環境情報を図１１の蓄積情報から取り出す。このように、変動時環境情報検出手段８２は、生体情報変動時点検出手段８１により検出された時点（６月６日の８時１０分と８時１５分）の居場所環境情報を、居場所環境情報送信手段である居場所環境情報送信装置４０により送信された環境情報に基づき検出する。上記取り出された居場所環境情報は、セット情報作成蓄積手段８５によって、上記の外部記憶装置１３の変動時環境情報蓄積部８６に個人識別情報毎に個人環境情報に付加してセット情報とされて蓄積される。これにより、個人識別情報がＹであるＹさんの６月６日の８時１０分と８時１５分の時の変動時環境情報には、居場所環境情報が付加されて蓄積されている。
【００５５】
上記のように蓄積された変動時環境情報を、コンピュータ端末６０から例えば産業医や労務管理者などが所要の個人識別情報とセキュリティー情報であるアクセス許可キーを用いて読み出し、見ることができる。これにより、個人識別情報がＹであるＹさんは、６月６日の点呼の時に、点呼によって何か異常を生じたこと、そのとき、居場所環境情報である部屋の室温と湿度と照度が判る。従って、異常を生じたときに、部屋が暑かった、或いは照度が低下していたなどの情報を得て、居住環境を適切にすることが可能となる。
【００５６】
上記のようにして数か月などの所定期間が経過すると、外部記憶装置１３の変動時環境情報蓄積部８６には、個人識別情報毎の変動時環境情報が図１２に示されるように、複数の変動時点（月日時刻）のセット情報として蓄積されている。
【００５７】
第２の実施形態では、図８の第１の実施形態の各手段に加えて、図１３に示されるように、統計処理手段８７が備えられている。統計処理手段８７は、所定期間に蓄積されたセット情報について出現する情報の統計処理を行って生体情報の変動と環境情報との関連を特定するものである。具体的には、図１４のＳＳ１１に示されるように、所定期間に蓄積されたセット情報における個人の居場所情報に着目し、蓄積回数が多い順に個人の居場所情報を並べた「変動時居場所情報ランキング」を作成する。
【００５８】
また、図１４のＳＳ１２に示されるように、所定期間に蓄積されたセット情報における「そのときの対応相手情報」に着目し、蓄積回数が多い順に人物情報（氏名、階級または役職、性別等）を並べた「変動時対応人物情報ランキング」を作成する。更に、また、図１４のＳＳ１３に示されるように、所定期間に蓄積されたセット情報における「そのときの対応相手人数情報」に着目し、蓄積回数が多い順に人数情報を並べた「変動時対応人数情報ランキング」を作成する。また、図１４のＳＳ１４に示されるように、所定期間に蓄積されたセット情報における「そのときの行動内容情報」に着目し、蓄積回数が多い順に行動内容情報を並べた「変動時行動内容情報ランキング」を作成する。更に、図１４のＳＳ１５に示されるように、所定期間に蓄積されたセット情報における居場所毎に、温度、湿度、照度などの居場所環境情報の平均値をそれぞれ求め、最適値との差である「変動時居場所環境情報適正度」を作成する。
【００５９】
上記の統計処理された情報は外部記憶装置１３の図１３に示す統計処理情報蓄積部８８に蓄積される。このようにして蓄積された統計処理情報を、コンピュータ端末６０から例えば産業医や労務管理者などが所要の個人識別情報とセキュリティー情報であるアクセス許可キーを用いて読み出し、見ることができる。これにより、「変動時居場所情報ランキング」からは、各個人がどの場所で異常となり易いかを読み取ることができ、「変動時対応人物情報ランキング」からは、各個人が誰に弱いか（苦手やハラスメントの疑い）を読み取ることができ、また、「変動時対応人数情報ランキング」からは多い人数或いは少ない人数の会議などが苦手であることを読み取ることができ、「変動時行動内容情報ランキング」からは苦手や不得意の作業を推定することができ、「変動時居場所環境情報適正度」からは居場所毎に居住環境が不快となっていないかを読み取ることができる。
【００６０】
第２の実施形態では、図１３に示されるように、更に生体情報変動傾向検出手段８９が備えられている。この生体情報変動傾向検出手段８９は、セット情報作成蓄積手段８５により所定期間に蓄積されたセット情報に基づき、上記生体情報変動時点検出手段８１により検出された時点の一日における時刻を求め、一日における生体情報変動傾向を検出するものである。検出結果は、外部記憶装置１３へ記憶し、コンピュータ端末６０から例えば産業医や労務管理者などが参照することができる。
【００６１】
この生体情報変動傾向検出手段８９による処理中の最も単純な態様は、セット情報から変動時点の時刻を抽出し、列記するものである。これから個人毎に一日の何時何分頃にストレスが多いなどの傾向を知ることができる。また、セット情報から変動時点の時刻と作業内容を抽出し、併記する態様を採用することもできる。この態様によれば、仕事内容との関係において、個人毎に一日の何時何分頃にストレスが多いなどの傾向を知ることができる。
【００６２】
第３の実施形態では、変動時環境情報検出手段８２が、生体情報変動時点検出手段８１により検出された時点の居場所と行動内容を検出し、生体情報送信手段である生体情報送信デバイス５０により送信された生体情報に基づき、当該時点の日における前記居場所において前記行動内容を行った際の生体情報の経時変化を検出して、生体情報変動グラフを作成する。
【００６３】
例えば、６月６日の１５時１３分に室Ａにおいて作業内容Ｗを行っている個人識別情報がＹであるＹさんの血圧が、所定閾値を超過する変動が発生したとする。生体情報変動時点検出手段８１により、この変動発生時点の居場所は室Ａであると検出され、そのときの行動内容は作業内容Ｗであると検出される。生体情報送信手段である生体情報送信デバイス５０により送信された生体情報は、生体情報蓄積部８３（図８または図１３）に蓄積されている。
【００６４】
変動時環境情報検出手段８２は、生体情報蓄積部８３に蓄積されている、個人識別情報がＹであるＹさんの当該６月６日の血圧情報を読み出し、生体情報の経時変化を検出して、生体情報変動グラフを作成する。この結果、図１５に示すように、横軸を時刻とし縦軸を生体情報（血圧）とするグラフＧ１が作成される。変動時環境情報検出手段８２は、Ｙさんの当該６月６日以外に居場所が室Ａで作業内容Ｗである場合に、変動が発生していないかを検出し、例えば、７月７日に脈拍数が所定閾値を超過する変動が発生したことが検出されたとする。これにより、変動時環境情報検出手段８２は、生体情報蓄積部８３に蓄積されている、個人識別情報がＹであるＹさんの当該７月７日の血圧情報を読み出し、生体情報の経時変化を検出して、生体情報変動グラフＧ２を作成する。以下同様にして全ての同様の変動の発生があった日の情報からグラフを作成し、同じ画面に表示した表示画像情報を作成する。図１５には、生体情報変動グラフＧ１、Ｇ２のみを示している。他の全ての人についても同様にグラフを作成する。このグラフは、外部記憶装置１３へ記憶し、コンピュータ端末６０から例えば産業医や労務管理者などが参照することができる。
【００６５】
このグラフを参照して、Ｙさんについて、居場所が室Ａで作業内容Ｗである場合の生体情報の時系列変化のパターンや傾向が推定され、変動発生の時間帯や作業開始から何分後付近に変動発生が多いなどの傾向を知って、本人の勤務環境へのアドバイスとすることができる。なお、上記では、血圧のグラフとしたが、他の生体情報のグラフを作成しても良い。また、複数種類の生体情報のグラフを作成して、比較できるようにしても良い。
【符号の説明】
【００６６】
１０   サーバ
１２   主メモリ
１３   外部記憶装置
１４   インタフェース
３０   携帯情報端末
４０   居場所環境情報送信装置
４１   居場所環境情報送信手段
４２   情報収集部
４３   送信部
４４   受信部
５０   生体情報送信デバイス
５１   個人識別情報記憶部
５２   生体情報収集部
５３   送信部
６０   コンピュータ端末
７０   ネットワーク
８１   生体情報変動時点検出手段
８２   変動時環境情報検出手段
８３   生体情報蓄積部
８４   環境情報蓄積部
８５   セット情報作成蓄積手段
８６   変動時環境情報蓄積部
８７   統計処理手段
８８   統計処理情報蓄積部
８９   生体情報変動傾向検出手段
【図１】
0006667956.tif 000002
【図２】
0006667956.tif 000003
【図３】
0006667956.tif 000004
【図４】
0006667956.tif 000005
【図５ａ】
0006667956.tif 000006
【図５ｂ】
0006667956.tif 000007
【図５ｃ】
0006667956.tif 000008
【図５ｄ】
0006667956.tif 000009
【図６】
0006667956.tif 000010
【図７】
0006667956.tif 000011
【図８】
0006667956.tif 000012
【図９】
0006667956.tif 000013
【図１０】
0006667956.tif 000014
【図１１】
0006667956.tif 000015
【図１２】
0006667956.tif 000016
【図１３】
0006667956.tif 000017
【図１４】
0006667956.tif 000018
【図１５】
0006667956.tif 000019